(57)【特許請求の範囲】
【請求項１】
主面と凹部と基板側接点とを有する基板に、上下方向を前記主面と交差させるようにかつ前記凹部内に少なくとも部分的に配置されるように取り付けられるコネクタであって、
前記コネクタは、コンタクトと、前記コンタクトを保持する保持部材とを備えており、
前記コンタクトは、前記保持部材に保持された被保持部と、前記被保持部から延びる弾性変形可能な支持部と、前記支持部に支持された接点とを有しており、
前記コネクタが前記基板に取り付けられた際に、前記接点は前記基板側接点に接触し、
前記保持部材は、前記コンタクトを保護する保護部を有しており、
前記保護部は、前記コネクタが前記基板に取り付けられた際に、少なくとも部分的に前記凹部内に位置するものであり、
前記保護部は、前記上下方向と直交する第１水平方向に沿って見た場合に、前記接点を隠しており、
前記保護部は、前記第１水平方向に沿って見た場合に、前記支持部と前記接点とを隠しており、
前記保持部材は、相手側接点を有する相手側コネクタを少なくとも部分的に収容する収容部を有しており、
前記コンタクトは、前記収容部内に突出する付加的接点を有しており、
前記付加的接点は、前記相手側コネクタが前記収容部に収容されたとき、前記相手側接点に接触する
コネクタ。
【請求項２】
請求項１に記載のコネクタであって、
前記保持部材は、前記保護部を少なくとも二つ有している
コネクタ。
【請求項３】
請求項２に記載のコネクタであって、
前記保護部は、前記第１水平方向において互いに離れて位置している
コネクタ。
【請求項４】
請求項３に記載のコネクタであって、
前記コンタクトは複数あり、前記複数のコンタクトは前記第１水平方向において前記保護部の間に位置している
コネクタ。
【請求項５】
請求項１から請求項４までのいずれか一つに記載のコネクタであって、
前記保持部材は、前記上下方向に沿って見た場合に、前記コンタクトの接点を隠している垂直保護部を更に有している
コネクタ。
【請求項６】
請求項１から請求項５までのいずれか一つに記載のコネクタであって、
前記接点は、前記上下方向と直交しかつ前記第１水平方向と交差する第２水平方向において前記基板側接点に接触する
コネクタ。
【請求項７】
請求項１から請求項５までのいずれか一つに記載のコネクタであって、
前記接点は、前記上下方向において前記基板側接点に接触する
コネクタ。
【請求項８】
請求項１から請求項７までのいずれか一つに記載のコネクタであって、
前記保持部材は、側面と、前記側面から内側に凹んだ側凹部とを有しており、
前記側凹部を構成する壁の少なくとも一部が前記保護部として機能するものであり、
前記支持部と前記接点は、前記側凹部内に位置している
コネクタ。
【請求項９】
請求項１から請求項８までのいずれか一つに記載のコネクタと、前記基板とを備えている構造体。
【請求項１０】
請求項９に記載の構造体であって、
前記基板は、前記凹部内に、前記上下方向と直交しかつ前記第１水平方向と交差する第２水平方向に突出する突出部を有しており、
前記基板側接点は、前記突出部に設けられている
構造体。
【発明の詳細な説明】
【技術分野】
【０００１】
本発明は、コネクタに関し、特に、基板の凹部に部分的に収容されるコネクタに関する。
【背景技術】
【０００２】
特許文献１は、基板の凹部に部分的に収容されるコネクタを開示している。図２５を参照すると、特許文献１のコネクタ９００は、基板９５０に取り付けられて、コネクタ構造体９０を構成している。
【０００３】
図２５から理解されるように、基板９５０は、コネクタ９００を部分的に収容する凹部９５５を有している。凹部９５５は、上下方向（Ｚ方向）と直交する方向に凹んでいる。凹部９５５を規定する基板９５０の縁部には、基板側接点９５７が設けられている。
【０００４】
図２５及び図２６に示されるように、コネクタ９００は、複数のコンタクト９１０と、コンタクト９１０を保持するハウジング（保持部材）９３０とを有している。各コンタクト９１０は、弾性変形可能な支持部９１１と、支持部９１１に支持された接点９１３を有している。接点９１３は、ハウジング９３０の側面９３１から外部に露出している。支持部９１１は、少なくとも部分的にハウジング９３０に形成された溝９３３内に収容されている。特に、支持部９１１の先端９１５は、ハウジング９３０の溝９３３内に収容されている。
【０００５】
図２５から理解されるように、コネクタ９００は、上下方向に沿って基板９５０の凹部９５５に挿入され、部分的に凹部９５５内に配置される。コネクタ９００は、基板９５０に取り付けられた状態において、基板９５０の一方の主面（上面）９５１から部分的に上方（＋Ｚ方向）へ突出するとともに、基板９５０の他方の主面（下面）９５３から部分的に下方（−Ｚ方向）へ突出している。基板側接点９５７は、コネクタ９００の接点９１３にそれぞれ対応している。コネクタ９００が基板９５０に取り付けられた状態において、コネクタ９００の接点９１３は、対応する基板側接点９５７にそれぞれ電気的に接続される。
【先行技術文献】
【特許文献】
【０００６】
【特許文献１】中国実用新案公告第２０４１４４４９２号明細書
【発明の概要】
【発明が解決しようとする課題】
【０００７】
特許文献１のコネクタ９００では、コンタクト９１０の支持部９１１の先端９１５がハウジング９３０の溝９３３内に収容されている。そのため、コネクタ９００を基板９５０の凹部９５５に挿入する際、支持部９１１の先端９１５が基板９５０に突き当たることはない。また、コンタクト９１０の接点９１３に上下方向と直交する方向の力が加わったとしても、支持部９１１の動きは制限される。したがって、特許文献１のコネクタ９００において、コンタクト９１０の座屈は防止される。しかしながら、特許文献１のコネクタ９００の構成では、コンタクト９１０の接点９１３をハウジング９３０の側面９３１から外部に露出させつつ、コンタクト９１０の支持部９１１の先端９１５をハウジング９３０の溝９３３内に収容しなければならない。そのため、コンタクト９１０の設計の自由度が制限される。
【０００８】
本発明は、特許文献１とは異なる手段により、コンタクトの座屈又は損傷を防止することができるコネクタを提供することを目的とする。
【課題を解決するための手段】
【０００９】
本発明は、第１のコネクタとして、
主面と凹部と基板側接点とを有する基板に、上下方向を前記主面と交差させるようにかつ前記凹部内に少なくとも部分的に配置されるように取り付けられるコネクタであって、
前記コネクタは、コンタクトと、前記コンタクトを保持する保持部材とを備えており、
前記コンタクトは、前記保持部材に保持された被保持部と、前記被保持部から延びる弾性変形可能な支持部と、前記支持部に支持された接点とを有しており、
前記コネクタが前記基板に取り付けられた際に、前記接点は前記基板側接点に接触し、
前記保持部材は、前記コンタクトを保護する保護部を有しており、
前記保護部は、前記コネクタが前記基板に取り付けられた際に、少なくとも部分的に前記凹部内に位置するものであり、
前記保護部は、前記上下方向と直交する第１水平方向に沿って見た場合に、前記接点を隠している
コネクタを提供する。
【００１０】
また、本発明は、第２のコネクタとして、第１のコネクタであって、
前記保護部は、前記第１水平方向に沿って見た場合に、前記支持部と前記接点とを隠している
コネクタを提供する。
【００１１】
また、本発明は、第３のコネクタとして、第１又は第２のコネクタであって、
前記保持部材は、前記保護部を少なくとも２つ有している
コネクタを提供する。
【００１２】
また、本発明は、第４のコネクタとして、第３のコネクタであって、
前記保護部は、前記第１水平方向において互いに離れて位置している
コネクタを提供する。
【００１３】
また、本発明は、第５のコネクタとして、第４のコネクタであって、
前記コンタクトは複数あり、前記複数のコンタクトは前記第１水平方向において前記保護部の間に位置している
コネクタを提供する。
【００１４】
また、本発明は、第６のコネクタとして、第１から第５までのいずれか一つのコネクタであって、
前記保持部材は、前記上下方向に沿って見た場合に、前記コンタクトの接点を隠している垂直保護部を更に有している
コネクタを提供する。
【００１５】
また、本発明は、第７のコネクタとして、第１から第６までのいずれか一つのコネクタであって、
前記接点は、前記上下方向と直交しかつ前記第１水平方向と交差する第２水平方向において前記基板側接点に接触する
コネクタを提供する。
【００１６】
また、本発明は、第８のコネクタとして、第１から第６までのいずれか一つのコネクタであって、
前記接点は、前記上下方向において前記基板側接点に接触する
コネクタを提供する。
【００１７】
また、本発明は、第９のコネクタとして、第１から第８までのいずれか一つのコネクタであって、
前記保持部材は、相手側接点を有する相手側コネクタを少なくとも部分的に収容する収容部を有しており、
前記コンタクトは、前記収容部内に突出する付加的接点を有しており、
前記付加的接点は、前記相手側コネクタが前記収容部に収容されたとき、前記相手側接点に接触する
コネクタを提供する。
【００１８】
また、本発明は、第１０のコネクタとして、第１から第９までのいずれか一つのコネクタであって、
前記保持部材は、側面と、前記側面から内側に凹んだ側凹部とを有しており、
前記側凹部を構成する壁の少なくとも一部が前記保護部として機能するものであり、
前記支持部と前記接点は、前記側凹部内に位置している
コネクタを提供する。
【００１９】
また、本発明は、第１の構造体として、
第１から第１０までのいずれか一つのコネクタと、前記基板とを備えている構造体を提供する。
また、本発明は、第２の構造体として、第１の構造体であって、
前記基板は、前記凹部内に、前記上下方向と直交しかつ前記第１水平方向と交差する第２水平方向に突出する突出部を有しており、
前記基板側接点は、前記突出部に設けられている
構造体を提供する。
【００２０】
さらに、本発明は、第１１のコネクタとして、
複数のコンタクトと、前記コンタクトを保持する保持部材とを備えるコネクタであって、
前記コンタクトは、所定方向に沿って配列されており、
前記コンタクトの各々は、前記保持部材に保持された被保持部と、前記被保持部から延びる弾性変形可能な支持部と、前記支持部に支持された接点とを有しており、
前記保持部材は、前記コンタクトを保護する保護部を有しており、
前記保護部は、前記所定方向に沿って見た場合に、前記接点を隠している
コネクタを提供する。
【発明の効果】
【００２１】
第１水平方向に沿ってコネクタを見た場合、保護部がコンタクトの接点を隠している。即ち、保護部は、コンタクトを保護している。これにより、コネクタを基板に取り付ける際、基板から接点へ予定外の力が加わることが防止又は抑制され、コンタクトの座屈又は損傷を防止することができる。
【図面の簡単な説明】
【００２２】
【図１】本発明の第１の実施の形態によるコネクタ構造体を示す斜視図である。コネクタは基板に未だ取り付けられていない。
【図２】図１のコネクタ構造体を示す他の斜視図である。コネクタは基板に取り付けられている。
【図３】図２のコネクタ構造体の平面図である。
【図４】図３のコネクタ構造体に含まれるコネクタの底面図である。
【図５】図４のコネクタの右側面図である。
【図６】図４のコネクタの正面図である。
【図７】図５のコネクタのＡ−Ａ線断面図である。
【図８】図５のコネクタのＢ−Ｂ線断面図である。
【図９】図６のコネクタのＣ−Ｃ線断面図である。
【図１０】図７のコネクタに含まれる第１のコンタクトの斜視図である。
【図１１】図７のコネクタに含まれる第２のコンタクトの斜視図である。
【図１２】図７のコネクタに含まれる第３のコンタクトの斜視図である。
【図１３】図７のコネクタに含まれる第４のコンタクトの斜視図である。
【図１４】図７のコネクタに含まれる第５のコンタクトの斜視図である。
【図１５】図７のコネクタに含まれる第６のコンタクトの斜視図である。
【図１６】本発明の第２の実施の形態によるコネクタ構造体を示す斜視図である。コネクタは基板に未だ取り付けられていない。
【図１７】図１６のコネクタ構造体を示す他の斜視図である。コネクタは基板に取り付けられている。
【図１８】図１７のコネクタ構造体の平面図である。
【図１９】図１８のコネクタ構造体に含まれるコネクタの底面図である。
【図２０】図１９のコネクタの右側面図である。
【図２１】図１９のコネクタの正面図である。
【図２２】図２０のコネクタのＤ−Ｄ線断面図である。
【図２３】本発明の第３の実施の形態によるコネクタ構造体を示す斜視図である。コネクタは基板に未だ取り付けられていない。
【図２４】図２３のコネクタ構造体を示す他の斜視図である。コネクタは基板に取り付けられている。
【図２５】特許文献１のコネクタ構造体を示す斜視図である。コネクタは基板に取り付けられている。
【図２６】図２５のコネクタ構造体に含まれるコネクタの底面斜視図である。
【発明を実施するための形態】
【００２３】
（第１の実施の形態）
図１〜図３を参照すると、本発明の第１の実施の形態によるコネクタ構造体１０は、コネクタ１００と基板２００とを有している。換言すると、本実施の形態において、コネクタ１００は、基板２００に取り付けられて、コネクタ構造体１０を構成している。
【００２４】
図１、図２、図６〜図９に示されるように、コネクタ１００は、図示しない相手側コネクタ（プラグ）を少なくとも部分的に収容する収容部１１０を有している。収容部１１０は、上下方向（Ｚ方向）と直交する前後方向（Ｙ方向、第１水平方向）に延びる空間である。前後方向と直交する断面における収容部１１０の形状は概ね円形である。
【００２５】
図１〜図３及び図５〜図９に示されるように、コネクタ１００は、複数のコンタクト１２０（１２０ａ〜１２０ｆ）と、コンタクト１２０を保持するハウジング（保持部材）１３０とを有している。コンタクト１２０は、導電性の金属板からなり、ハウジング１３０は絶縁性樹脂からなる。
【００２６】
図１〜図３及び図７から理解されるように、本実施の形態においてコンタクト１２０の数は６個である。即ち、本実施形態のコネクタ１００は、第１から第６のコンタクト１２０ａ〜１２０ｆを有している。但し、本発明はこれに限定されない。コンタクト１２０の数は、相手側コンタクトの相手側接点の数に応じて任意に設定可能である。
【００２７】
図７〜図１５から理解されるように、第１から第６のコンタクト１２０ａ〜１２０ｆの形状は、互いに異なっている。但し、本発明はこれに限られない。各コンタクト１２０（１２０ａ〜１２０ｆ）の形状は、相手側コンタクトの形状やハウジング１３０の形状などに応じて任意に設計可能であり、複数のコンタクト１２０が同一の形状を有していてもよい。図１０から図１５に示されるように、第１から第６のコンタクト１２０ａ〜１２０ｆは、その形状にかかわらず、ハウジング１３０に保持される被保持部１２１と、被保持部１２１から延びる第１支持部（支持部）１２３及び第２支持部１２５と、第１支持部１２３に支持された第１接点（接点）１２７と、第２支持部１２５に支持された第２接点（付加的接点）１２９とを有している。第１支持部１２３は、弾性変形可能である。第１支持部１２３の弾性変形により、第１接点１２７は、少なくとも左右方向（Ｘ方向、第２水平方向）に移動可能である。なお、左右方向は、上下方向及び前後方向の双方と直交する方向である。第１支持部１２３と同様に、第２支持部１２５も弾性変形可能である。第２支持部１２５の弾性変形により、第２接点１２９は、少なくとも前後方向と直交する所定方向に移動可能である。本実施の形態において、所定方向は、第１から第５のコンタクト１２０ａ〜１２０ｅについては左右方向である。第６のコンタクト１２０ｆについての所定方向は、上下方向及び左右方向の両方と交差する方向である。コンタクト１２０は、金属板を打ち抜き加工した後、折り曲げ加工することで形成することができる。
【００２８】
図１〜図７及び図９に示されるように、ハウジング１３０は、前後方向に連続する前部１４０と後部１５０とを有している。後部１５０は、略直方体形状を有している。詳しくは、後部１５０は、上下方向に互いに離れて位置する上面１５１及び下面１５３と、前後方向に互いに離れて位置する前面１５５及び背面１５７と、左右方向に互いに離れて位置する一対の側面１６１，１６３とを有している。前部１４０は、後部１５０の前面１５５から前方（−Ｙ方向）へ突出している。前部１４０は、平らな上面１４１及び下面１４３と、外側へ湾曲した一対の側面１４５と、前面１４７とを有している。収容部１１０は、前部１４０の前面１４７に開口している。また、収容部１１０は、図７に示されるように、前後方向において、後部１５０の背面１５７近くまで延びている。
【００２９】
図１〜図３、図５、図７及び図８に示されるように、ハウジング１３０の側面１６１，１６３には、それぞれ複数の側凹部１７０が形成されている。側凹部１７０は、左右方向において、側面１６１，１６３からハウジング１３０の内側へ凹んでいる。図３に示されるように、側凹部１７０は、上下方向に沿って見た場合、その断面が四角形の溝である。図１、図２及び図５に示されるように、各側凹部１７０は、二つの縦壁１７１と一つの横壁１７３で三方を囲まれている。換言すると、各側凹部１７０は、二つの縦壁１７１と一つの横壁１７３で構成されている。二つの縦壁１７１は、上下方向に延びている。また、二つの縦壁１７１は、前後方向に互いに離れている。横壁１７３は、前後方向に延びている。横壁１７３は、縦壁１７１の一端同士を連結している。図１〜図３、図５及び図７から理解されるように、本実施の形態において、側凹部１７０は、コンタクト１２０にそれぞれ対応するように、一方の側面１６１に三つ、他方の側面１６３に三つ形成されている。但し、本発明はこれに限られない。側凹部１７０の数と配置は、コンタクト１２０の数や配置に応じて任意に設定することができる。
【００３０】
図７〜図９から理解されるように、ハウジング１３０は、各コンタクト１２０の被保持部１２１を保持する保持部１３１を有している。換言すると、ハウジング１３０の保持部１３１は、各コンタクト１２０の被保持部１２１を保持している。これにより、コンタクト１２０の第１接点１２７は、前後方向に沿って二列に配列される。各コンタクト１２０の第１接点１２７は、対応する側凹部１７０の内部に位置し、左右方向外側に向けられている。また、第１接点１２７を支持する第１支持部１２３も部分的に対応する側凹部１７０の内部に位置している。一方、第２接点１２９は収容部１１０内に突出している。第２接点１２９を支持する第２支持部１２５は、部分的に収容部１１０内に位置している。ハウジング１３０は、コンタクト１２０と一体成型により形成することができる。
【００３１】
図５から理解されるように、一方の側面１６１の側に位置する三つのコンタクト１２０の第１接点１２７は、前後方向（ピッチ方向）に並んでいる。同様に、他方の側面１６３の側に位置する三つのコンタクト１２０の第１接点１２７も、前後方向（ピッチ方向）に並んでいる。本実施の形態において、第１接点１２７の各々とそれに最も近い縦壁１７１との距離は、互いに隣り合う第１接点１２７間の最小距離よりも短い。
【００３２】
図６〜図８から理解されるように、コンタクト１２０が無負荷状態のとき、縦壁１７１は、前後方向に沿って見た場合、第１接点１２７を隠すとともに、第１支持部１２３を少なくとも部分的に隠している。また、図４から理解されるように、横壁１７３は、上下方向に沿って見た場合、第１接点１２７及び第１支持部１２３を隠している。このように、各コンタクト１２０の第１接点１２７は、対応する側凹部１７０内に位置しており、側面１６１又は１６３よりも左右方向外側へ突出していない。これにより、縦壁１７１は、少なくともその一部が第１接点１２７を保護する保護部として機能し、横壁１７３は、少なくともその一部が第１接点１２７を保護する垂直保護部として機能する。このように本実施の形態において、ハウジング１３０は、第１接点１２７を保護する保護部と垂直保護部とを有している。なお、本実施の形態において、各縦壁１７１は、上下方向に分かれた二つの部分を有しており、それらの間に隙間が存在している。本実施の形態では、前後方向に沿って見た場合、各縦壁１７１の二つの部分の間から、第１支持部１２３及び第１接点１２７のいずれも見えていないが、それらの一部は各縦壁１７１の二つの部分の間から見えてもよい。また、各縦壁１７１の二つの部分は一体化されていてもよい。さらに、図７及び図８に示されるように、各縦壁１７１は、左右方向において、コンタクト１２０を保持している保持部１３１から離れているが、各縦壁１７１は保持部１３１に連続していてもよい。
【００３３】
図１〜図３に示されるように、基板２００は、コネクタ１００を少なくとも部分的に収容する凹部２１０を有している。凹部２１０は、コネクタ１００のハウジング１３０の対応する部分を収容できる大きさを有している。また、基板２００は、凹部２１０内において、左右方向内側に突出する複数の突出部２２０を有している。突出部２２０は、コネクタ１００の側凹部１７０にそれぞれ対応している。突出部２２０は、上下方向に沿って見た場合、四角形形状を有しており、前後方向において、対応する側凹部１７０よりも小さい。各突出部２２０の先端部には、基板側接点２２１が形成されている。基板側接点２２１は、それぞれコネクタ１００のコンタクト１２０に対応している。コネクタ１００が基板２００に取り付けられたとき、基板側接点２２１はコネクタ１００の第１接点１２７に接触し、これらは互いに電気的に接続される。本実施の形態において、基板側接点２２１と第１接点１２７とは、左右方向において接触する。但し、基板側接点２２１と第１接点１２７とは上下方向と直交しかつ前後方向と交差する方向において接触するものであればよい。
【００３４】
図２及び図３から理解されるように、コネクタ１００は、基板２００に取り付けられたとき、少なくとも部分的に基板２００の凹部２１０内に配置される。本実施の形態では、基板２００の凹部２１０は、コネクタ１００の後部１５０を部分的に収容する。本実施の形態では、凹部２１０は、基板２００の主面２０１に平行な方向（＋Ｙ方向）に凹んでおり、基板２００の主面２０１に平行な他の方向（−Ｙ方向）に開いている。但し、本発明はこれに限られない。例えば、凹部２１０は、基板２００の主面２０１に平行な方向において閉じたものであってもよい。具体的には、基板２００の縁から離れた位置に形成された、基板２００の主面２０１と直交する方向（上下方向）に貫通する開口であってもよい。また、基板２００が厚みを有する場合には、凹部２１０は、基板２００に形成された底を有する窪みであってもよい。さらに、本実施の形態では、基板２００がリジッドであることを想定しているが、基板２００はフレキシブルなものであってもよい。
【００３５】
図１及び図２から理解されるように、基板２００へのコネクタ１００の取り付けは、コネクタ１００の上下方向が基板２００の主面２０１と交差するように、望ましくは直交するように行われる。詳しくは、基板２００へのコネクタ１００の取り付けは、コネクタ１００を基板２００の下方（−Ｚ方向）から上方（＋Ｚ方向）に向けて移動させることにより行われる。このとき、コネクタ１００の第１接点１２７及び第１支持部１２３は、保護部である縦壁１７１により保護される。詳しくは、基板２００へのコネクタ１００の取り付けに際し、基板２００の凹部２１０内に最初に縦壁１７１が進入し、その後にコンタクト１２０の第１接点１２７と基板側接点２２１が接触する。その結果、コンタクト１２０の座屈又は損傷が防止される。特に縦壁１７１は、基板２００の凹部２１０内に少なくとも部分的に位置し、基板２００に対するコネクタ１００の前後方向の移動を防止又は抑制する。これにより、コンタクト１２０は、基板２００から前後方向の力を実質的に受けることがない。その結果、コンタクト１２０の座屈又は損傷が防止される。また、横壁１７３は、コネクタ１００が、上下反転された状態で基板２００に取り付けられるのを防止する。即ち、横壁１７３は、基板側接点２２１が、コンタクト１２０の先端側からコンタクト１２０に接触することを防止する。これによってもまた、コンタクト１２０の座屈又は損傷が防止される。
【００３６】
図示しない相手側コネクタは、ヘッドフォンの端子のようなフォーンプラグであり、略円柱状の相手側コンタクト（図示せず）を有している。相手側コンタクトは、軸方向に配列されかつ互いに絶縁された複数の相手側接点（図示せず）を有している。各相手側接点は、相手側コンタクトの外周面である。図７及び図９から理解されるように、コンタクト１２０の第２接点１２９は、相手側接点に対応するよう、前後方向において、互いに異なる位置に配置されている。図６〜図９から理解されるように、第２接点１２９は、収容部１１０内に突出している。相手側コンタクトが収容部１１０に収容されたとき、第２接点１２９は、対応する相手側接点に夫々接触する。これにより、第２接点１２９と対応する相手側接点との間が電気的に接続される。
【００３７】
（第２の実施の形態）
【００３８】
図１６〜図２２を参照すると、本発明の第２の実施の形態によるコネクタ構造体１０Ａは、上述した第１の実施の形態によるコネクタ構造体１０（図１〜図７参照）と略同一の構成を有している。そのため、図１６〜図２２に示される構成要素のうち、第１の実施の形態と同様の構成要素に対しては同一の参照符号を付すこととする。
【００３９】
図１６〜図２２と、図１〜図７との比較から容易に理解されるように、本実施の形態によるコネクタ構造体１０Ａは、コネクタ１００Ａのハウジング１３０Ａの形状と基板２００Ａの形状の点で、第１の実施の形態のコネクタ構造体１０と異なっている。即ち、図１６〜図１８、図２０及び図２２に示されるように、ハウジング１３０Ａの後部１５０Ａは、側面１６１Ａ，１６３Ａに側凹部１７０Ａをそれぞれ一つずつ有している。各側凹部１７０Ａは、上下方向に沿って見た場合、その断面が四角形の窪みである。各側凹部１７０Ａは、上下方向に延びる二つの縦壁１７１Ａと、前後方向に延びる一つの横壁１７３Ａで三方を囲まれている。換言すると、ハウジング１３０Ａの縦壁１７１Ａと横壁１７３Ａとが側凹部１７０Ａを構成している。側凹部１７０Ａ内には、それぞれ三つのコンタクト１２０の第１接点１２７が位置している。即ち、側面１６１Ａ，１６３Ａの各々の側において、二つの縦壁１７１Ａの間に三つの第１接点１２７が位置している。
【００４０】
図１６〜図１８に示されるように、基板２００Ａは、少なくとも部分的にコネクタ１００を収容する凹部２１０Ａを有している。また、基板２００Ａは、凹部２１０Ａ内において、左右方向内側に突出する一対の突出部２２０Ａを有している。突出部２２０Ａは、コネクタ１００Ａの側凹部１７０Ａにそれぞれ対応している。突出部２２０Ａは、上下方向に沿って見た場合、四角形形状を有している。各突出部２２０Ａの先端部には、複数の基板側接点２２１が形成されている。基板側接点２２１は、それぞれコネクタ１００Ａのコンタクト１２０に対応している。
【００４１】
図２１及び図２２から理解されるように、本実施の形態においても、第１の実施の形態と同様に、前後方向に沿って見たとき、縦壁１７１Ａが第１接点１２７を隠している。縦壁１７１Ａはまた、第１支持部１２３を少なくとも部分的に隠している。また、図１９から理解されるように、横壁１７３Ａが、上下方向に沿って見た場合に、第１接点１２７及び第１支持部１２３を隠している。このように、各コンタクト１２０の第１接点１２７は、側凹部１７０Ａのいずれか一方の内部に位置しており、側面１６１Ａ又は１６３Ａよりも外側へ突出していない。そして、縦壁１７１Ａは、少なくともその一部が第１接点１２７を保護する保護部として機能し、横壁１７３Ａは、少なくともその一部が第１接点１２７を保護する垂直保護部として機能する。これにより、本実施の形態においても、第１の実施の形態と同様に、コンタクト１２０の座屈が防止される。特に横壁１７３Ａは、第１接点１２７を挟んで第１支持部１２３と対向する位置にあり、基板２００Ａが部分的に側凹部１７０Ａへ進入するのを防止する。このため、基板２００Ａは、横壁１７３Ａの無い第１支持部１２３側からしか側凹部１７０Ａへ進入できない。これにより、基板側接点２２１がコンタクト１２０の先端側からコンタクト１２０に接触することが防止される。その結果、コンタクト１２０の座屈が防止される。なお、本実施の形態では、図１６に示されるように、コンタクト１２０が無負荷状態のとき、コンタクト１２０の先端と横壁１７３Ａとの間に隙間が存在している。コンタクト１２０は、弾性変形時にも横壁１７３Ａとの間に隙間が残るように設計されてもよいし、弾性変形時には横壁１７３Ａに突き当たるように設計されてもよい。
【００４２】
（第３の実施の形態）
図２３及び図２４を参照すると、本発明の第３の実施の形態によるコネクタ構造体１０Ｂは、上述した第１の実施の形態によるコネクタ構造体１０（図１及び図２）と略同一の構成を有している。そのため、図２３及び図２４に示される構成要素のうち、第１の実施の形態と同様の構成要素に対しては同一の参照符号を付すこととする。
【００４３】
図２３及び図２４に示されるように、コネクタ構造体１０Ｂは、コネクタ１００Ｂと基板２００Ｂとを有している。図２３に示されるように、コネクタ１００Ｂは、複数のコンタクト１２０Ｂと、これらコンタクト１２０Ｂを保持するハウジング１３０Ｂとを有している。コンタクト１２０Ｂは、互いに異なる形状を有している。それにもかかわらず、コンタクト１２０Ｂの各々は、ハウジング１３０Ｂに保持された被保持部（図示せず）と、被保持部から延びる第１支持部１２３Ｂと、第１支持部１２３Ｂに支持された第１接点１２７Ｂとを有している。第１支持部１２３Ｂは、弾性変形可能である。第１支持部１２３Ｂの弾性変形により、第１接点１２７Ｂは、少なくとも上下方向に移動可能である。一方の側面１６１Ｂの側に位置する複数のコンタクト１２０Ｂの第１接点１２７Ｂは、左右方向に沿って見た場合、上下方向において互いに一致しており、かつ前後方向に並んでいる。他方の側面１６３Ｂの側に位置する第１接点（図示せず）についても同様である。
【００４４】
図２３及び図２４に示されるように、ハウジング１３０Ｂの後部１５０Ｂは、側面１６１Ｂ，１６３Ｂにそれぞれ形成された側凹部１７０Ｂを有している。換言すると、ハウジング１３０Ｂは、側凹部１７０Ｂを構成する縦壁１７１Ｂを有している。一方の側面１６１Ｂの側において、第１支持部１２３Ｂ及び第１接点１２７Ｂは、二つの縦壁１７１Ｂの間に位置している。他方の側面１６３Ｂの側においても同様である。縦壁１７１Ｂは、前後方向に沿って見た場合、第１接点１２７Ｂ及び第１支持部１２３Ｂを隠している。
【００４５】
図２３及び図２４に示されるように、基板２００Ｂは、コネクタ１００Ｂを少なくとも部分的に収容する凹部２１０Ｂを有している。また、基板２００Ｂは、凹部２１０Ｂ内において、左右方向内側に突出する突出部２２０Ｂを有している。図２３及び図２４から理解されるように、突出部２２０Ｂの下面には、コンタクト１２０Ｂの第１接点１２７Ｂにそれぞれ対応する基板側接点（図示せず）が形成されている。コネクタ１００Ｂが基板２００Ｂに取り付けられたとき、基板側接点はコネクタ１００Ｂの第１接点１２７Ｂに接触し、これらは互いに電気的に接続される。本実施の形態において、基板側接点と第１接点１２７Ｂとは、上下方向において接触する。
【００４６】
本実施の形態においても、縦壁１７１Ｂが、第１接点１２７Ｂ及び第１支持部１２３Ｂを保護する保護部として機能する。これにより、本実施の形態においても、第１及び第２の実施の形態と同様に、コンタクト１２０Ｂの座屈が防止される。
【００４７】
以上、本発明について実施の形態を掲げて具体的に説明してきたが、本発明はこれに限定されるものではなく、種々の変形、変更が可能である。例えば、上記実施の形態では、ハウジング１３０（１３０Ａ，１３０Ｂ）の二つの側面１６１及び１６３（１６１Ａ及び１６３Ａ，１６１Ｂ及び１６３Ｂ）の側にそれぞれ複数のコンタクト１２０（１２０，１２０Ｂ）が設けられているが、コンタクト１２０（１２０，１２０Ｂ）は、一方の側面１６１又は１６３（１６１Ａ又は１６３Ａ，１６１Ｂ又は１６３Ｂ）の側のみに設けられてもよい。この場合、保護部（縦壁１７１，１７１Ａ，１７１Ｂ）は、少なくとも二つあればよい。その場合においても、保護部は、前後方向に互いに離れて配置され、それらの間には、コンタクト１２０（１２０，１２０Ｂ）の第１接点１２７（１２７，１２７Ｂ）が配置される。そして、前後方向に見た場合、保護部は、コンタクト１２０（１２０，１２０Ｂ）の第１接点１２７（１２７，１２７Ｂ）を隠している。また、コンタクト１２０（１２０，１２０Ｂ）は、ハウジング１３０（１３０Ａ，１３０Ｂ）の背面１５７の側に設けられてもよい。その場合、保護部は、左右方向（第１水平方向）に互いに離れて配置され、それらの間に、コンタクト１２０（１２０，１２０Ｂ）の第１接点１２７（１２７，１２７Ｂ）が配置される。そして、左右方向に見た場合、保護部は、コンタクト１２０（１２０，１２０Ｂ）の第１接点１２７（１２７，１２７Ｂ）を隠す。また、上記実施の形態では、コネクタは、コネクタを基板に固定するための固定部を有していないが、コネクタを基板に固定するための固定部をコネクタに更に設けてもよい。
【符号の説明】
【００４８】
１０，１０Ａ，１０Ｂ    コネクタ構造体
１００，１００Ａ，１００Ｂ    コネクタ
１１０    収容部
１２０，１２０ａ，１２０ｂ，１２０ｃ，１２０ｄ，１２０ｅ，１２０ｆ，１２０Ｂ    コンタクト
１２１    被保持部
１２３，１２３Ｂ    第１支持部（支持部）
１２５    第２支持部
１２７，１２７Ｂ    第１接点（接点）
１２９    第２接点（付加的接点）
１３０，１３０Ａ，１３０Ｂ    ハウジング（保持部材）
１３１    保持部
１４０    前部
１４１    上面
１４３    下面
１４５    側面
１４７    前面
１５０，１５０Ａ、１５０Ｂ    後部
１５１    上面
１５３    下面
１５５    前面
１５７    背面
１６１，１６１Ａ，１６１Ｂ，１６３，１６３Ａ，１６３Ｂ    側面
１７０，１７０Ａ，１７０Ｂ    側凹部
１７１，１７１Ａ，１７１Ｂ    縦壁（保護部）
１７３，１７３Ａ    横壁（垂直保護部）
２００，２００Ａ，２００Ｂ    基板
２０１    主面
２１０，２１０Ａ，２１０Ｂ    凹部
２２０，２２０Ａ，２２０Ｂ    突出部
２２１    基板側接点
【図１】
0006663754.tif 000002
【図２】
0006663754.tif 000003
【図３】
0006663754.tif 000004
【図４】
0006663754.tif 000005
【図５】
0006663754.tif 000006
【図６】
0006663754.tif 000007
【図７】
0006663754.tif 000008
【図８】
0006663754.tif 000009
【図９】
0006663754.tif 000010
【図１０】
0006663754.tif 000011
【図１１】
0006663754.tif 000012
【図１２】
0006663754.tif 000013
【図１３】
0006663754.tif 000014
【図１４】
0006663754.tif 000015
【図１５】
0006663754.tif 000016
【図１６】
0006663754.tif 000017
【図１７】
0006663754.tif 000018
【図１８】
0006663754.tif 000019
【図１９】
0006663754.tif 000020
【図２０】
0006663754.tif 000021
【図２１】
0006663754.tif 000022
【図２２】
0006663754.tif 000023
【図２３】
0006663754.tif 000024
【図２４】
0006663754.tif 000025
【図２５】
0006663754.tif 000026
【図２６】
0006663754.tif 000027